(57)【要約】【課題】円すいころをポケット部に無理嵌めする際に柱部に生じる応力を緩和して、柱部の損傷や割れを確実に防止することができる円すいころ軸受用保持器及び円すいころ軸受を提供する。【解決手段】円すいころ軸受用保持器２０は、樹脂製であり、大径側円環部２１と、大径側円環部２１と同軸に配置される小径側円環部２２と、大径側円環部２１と小径側円環部２２との間に円周方向に略等間隔で複数配置され、大径側円環部２１と小径側円環部２２とを連結する柱部２３と、を備え、円周方向に互いに隣り合う柱部２３間に円すいころ１３を転動可能に保持するポケット部２４が形成され、各柱部２３の小径側円環部２２側の外周面から小径側円環部２２の外周面に連続して切り欠き部が設けられる。【選択図】図２
2012251571.tif 000002
【特許請求の範囲】
【請求項１】
大径側円環部と、前記大径側円環部と同軸に配置される小径側円環部と、前記大径側円環部と前記小径側円環部との間に円周方向に略等間隔で複数配置され、前記大径側円環部と前記小径側円環部とを連結する柱部と、を備え、円周方向に互いに隣り合う前記柱部間に円すいころを転動可能に保持するポケット部が形成される樹脂製の円すいころ軸受用保持器であって、
前記各柱部の前記小径側円環部側の外周面から前記小径側円環部の外周面に連続して切り欠き部が設けられることを特徴とする円すいころ軸受用保持器。
【請求項２】
前記切り欠き部は、軸受組立時において、前記円すいころを前記ポケット部に無理嵌めする際の無理嵌め量を調整して、前記柱部に作用する応力を緩和し、
周方向に隣り合う前記柱部の前記切り欠き部と前記円すいころとの無理嵌め量が０．０５ｍｍ〜０．５５ｍｍに設定されることを特徴とする請求項１に記載の円すいころ軸受用保持器。
【請求項３】
前記切り欠き部の前記大径側円環部側の端部に、角状部、Ｒ状部、及びテーパ部のいずれかが設けられることを特徴とする請求項１又は２に記載の円すいころ軸受用保持器。
【請求項４】
内周面に外輪軌道面を有する外輪と、外周面に内輪軌道面を有する内輪と、前記外輪軌道面と前記内輪軌道面との間に転動可能に設けられる複数の円すいころと、前記複数の円すいころを円周方向に略等間隔に保持する保持器と、を備える円すいころ軸受であって、
前記保持器は、請求項１〜３のいずれか１項に記載の円すいころ軸受用保持器であることを特徴とする円すいころ軸受。
【発明の詳細な説明】
【技術分野】
【０００１】
本発明は、円すいころ軸受用保持器及び円すいころ軸受に関する。
【背景技術】
【０００２】
従来の円すいころ軸受用保持器として、軸方向両側に同軸に配置される大径側円環部及び小径側円環部と、円周方向の複数箇所で両円環部間に架け渡される複数の柱部と、各柱部の間に構成されて円すいころが装着されるポケット部と、を備え、柱部の小径側円環部側の端部の外周側に応力緩和部が設けられるものが知られている（例えば、特許文献１参照）。
【先行技術文献】
【特許文献】
【０００３】
【特許文献１】特開２００７−２７０８７４号公報
【発明の概要】
【発明が解決しようとする課題】
【０００４】
しかしながら、上記特許文献１に記載の円すいころ軸受用保持器では、柱部の交差部に切り欠きによる応力緩和部が設けられるため、円すいころをポケット部に無理嵌めする際に柱部に生じる応力を一部緩和するものの、応力緩和部の機能が十分でなく、柱部の損傷や割れを確実に防止することができなかった。
【０００５】
本発明は、前述の事情に鑑みてなされたものであり、その目的は、円すいころをポケット部に無理嵌めする際に柱部に生じる応力を緩和して、柱部の損傷や割れを確実に防止することができる円すいころ軸受用保持器及び円すいころ軸受を提供することにある。
【課題を解決するための手段】
【０００６】
本発明の上記目的は、下記の構成により達成される。
（１）大径側円環部と、大径側円環部と同軸に配置される小径側円環部と、大径側円環部と小径側円環部との間に円周方向に略等間隔で複数配置され、大径側円環部と小径側円環部とを連結する柱部と、を備え、円周方向に互いに隣り合う柱部間に円すいころを転動可能に保持するポケット部が形成される樹脂製の円すいころ軸受用保持器であって、各柱部の小径側円環部側の外周面から小径側円環部の外周面に連続して切り欠き部が設けられることを特徴とする円すいころ軸受用保持器。
（２）切り欠き部は、軸受組立時において、円すいころをポケット部に無理嵌めする際の無理嵌め量を調整して、柱部に作用する応力を緩和し、周方向に隣り合う柱部の切り欠き部と円すいころとの無理嵌め量が０．０５ｍｍ〜０．５５ｍｍに設定されることを特徴とする（１）に記載の円すいころ軸受用保持器。
（３）切り欠き部の大径側円環部側の端部に、角状部、Ｒ状部、及びテーパ部のいずれかが設けられることを特徴とする（１）又は（２）に記載の円すいころ軸受用保持器。
（４）内周面に外輪軌道面を有する外輪と、外周面に内輪軌道面を有する内輪と、外輪軌道面と内輪軌道面との間に転動可能に設けられる複数の円すいころと、複数の円すいころを円周方向に略等間隔に保持する保持器と、を備える円すいころ軸受であって、保持器は、（１）〜（３）のいずれか１つに記載の円すいころ軸受用保持器であることを特徴とする円すいころ軸受。
【発明の効果】
【０００７】
本発明の円すいころ軸受用保持器及び円すいころ軸受によれば、各柱部の小径側円環部側の外周面から小径側円環部の外周面に連続して切り欠き部が設けられるため、切り欠き部が、軸受組立時において、円すいころをポケット部に無理嵌めする際の無理嵌め量を調整して、柱部に作用する応力を緩和する。これにより、円すいころをポケット部に無理嵌めする際における柱部の損傷や割れを確実に防止することができる。また、各柱部の小径側円環部側の外周面から小径側円環部の外周面に連続して切り欠き部を設けるだけであるので、保持器を成形する金型の構造が複雑になることはなく、保持器を容易に製作することができる。
【図面の簡単な説明】
【０００８】
【図１】本発明に係る円すいころ軸受用保持器及び円すいころ軸受の一実施形態を説明する要部断面図である。
【図２】図１に示す円すいころ軸受用保持器を説明するための拡大斜視図である。
【図３】図２のＡ−Ａ線断面図である。
【図４】図２のＢ−Ｂ線断面図である。
【図５】ポケット部の小径側端部の開口幅と円すいころの小径側端部の直径を説明する模式図である。
【図６】柱部の第１変形例を説明する図３に対応する断面図である。
【図７】柱部の第２変形例を説明する図３に対応する断面図である。
【発明を実施するための形態】
【０００９】
以下、本発明に係る円すいころ軸受用保持器及び円すいころ軸受の一実施形態について、図面に基づいて詳細に説明する。
【００１０】
本実施形態の円すいころ軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動可能に設けられる複数の円すいころ１３と、複数の円すいころ１３を円周方向に略等間隔に保持する保持器（円すいころ軸受用保持器）２０と、を備える。また、内輪１２の軸方向端部には、小鍔部１４及び大鍔部１５がそれぞれ形成されている。
【００１１】
保持器２０は、合成樹脂の射出成形で成形されており、図２に示すように、大径側円環部２１と、大径側円環部２１と同軸配置される小径側円環部２２と、円周方向に略等間隔で複数配置され、大径側円環部２１と小径側円環部２２とを連結する柱部２３と、を備え、円周方向に互いに隣り合う各柱部２３間に、円すいころ１３を転動可能に保持するポケット部２４が形成されている。柱部２３は、ポケット部２４の幅が外径に向かって徐々に狭くなるように、外径側が幅広の略台形断面を有する。
【００１２】
そして、本実施形態では、図２及び図３に示すように、保持器２０の小径側円環部２２側が薄肉になるように、各柱部２３の小径側円環部２２側の外周面から小径側円環部２２の外周面に連続して切り欠き部２５が形成されており、この切り欠き部２５は、軸受組立時において、円すいころ１３をポケット部２４に無理嵌めする際の無理嵌め量を調整して、柱部２３に作用する応力を緩和する。また、切り欠き部２５の大径側円環部２１側の端部には、角状部２６が周方向に亘って形成されている。
【００１３】
また、本実施形態では、図４及び図５に示すように、周方向に隣り合う柱部２３，２３の切り欠き部２５，２５と円すいころ１３との無理嵌め量が０．０５ｍｍ〜０．５５ｍｍに設定されている。そして、この無理嵌め量は、（円すいころ１３の小径側端部の直径Ｃ１）−（切り欠き部２５，２５間の開口幅Ｄ１）により計算される。換言すると、切り欠き部２５，２５間の開口幅Ｄ１は、円すいころ１３の小径側端部の直径Ｃ１より０．０５ｍｍ〜０．５５ｍｍ小さく設定されている。即ち、切り欠き部２５を形成することで、無理嵌め量（＝Ｃ１−Ｄ１）を小さくすることができる。
【００１４】
以上説明したように、本実施形態の円すいころ軸受用保持器２０及び円すいころ軸受１０によれば、各柱部２３の小径側円環部２２側の外周面から小径側円環部２２の外周面に連続して切り欠き部２５が設けられるため、切り欠き部２５が、軸受組立時において、円すいころ１３をポケット部２４に無理嵌めする際の無理嵌め量を調整して、柱部２３に作用する応力を緩和する。これにより、円すいころ１３をポケット部２４に無理嵌めする際における柱部２３の損傷や割れを確実に防止することができる。また、各柱部２３の小径側円環部２２側の外周面から小径側円環部２２の外周面に連続して切り欠き部２５を設けるだけであるので、保持器２０を成形する金型の構造が複雑になることはなく、保持器２０を容易に製作することができる。
【００１５】
また、本実施形態の円すいころ軸受用保持器２０及び円すいころ軸受１０によれば、周方向に隣り合う柱部２３，２３の切り欠き部２５，２５と円すいころ１３との無理嵌め量が０．０５ｍｍ〜０．５５ｍｍに設定されるため、柱部２３の切り欠き部２５と円すいころ１３の小径側縁部１３ａとの過大摩擦を低減することができ、柱部２３に作用する応力を更に緩和することができる。
【００１６】
なお、本実施形態の第１変形例として、図６に示すように、切り欠き部２５の大径側円環部２１側の端部に、角状部２６の代わりに、Ｒ状部２７が形成されていてもよい。
【００１７】
また、本実施形態の第２変形例として、図７に示すように、切り欠き部２５の大径側円環部２１側の端部に、角状部２６の代わりに、大径側円環部２１から小径側円環部２２に向かうに従って径方向内側に傾斜するテーパ部２８が形成されていてもよい。
【００１８】
なお、本発明は上記実施形態に例示したものに限定されるものではなく、本発明の要旨を逸脱しない範囲において適宜変更可能である。
【符号の説明】
【００１９】
１０    円すいころ軸受
１１    外輪
１１ａ  外輪軌道面
１２    内輪
１２ａ  内輪軌道面
１３    円すいころ
２０    保持器（円すいころ軸受用保持器）
２１    大径側円環部
２２    小径側円環部
２３    柱部
２４    ポケット部
２５    切り欠き部
２６    角状部
２７    Ｒ状部
２８    テーパ部
Ｄ１    切り欠き部間の開口幅
Ｃ１    円すいころの小径側端部の直径
【図１】
2012251571.tif 000003
【図２】
2012251571.tif 000004
【図３】
2012251571.tif 000005
【図４】
2012251571.tif 000006
【図５】
2012251571.tif 000007
【図６】
2012251571.tif 000008
【図７】
2012251571.tif 000009